(57)【特許請求の範囲】
【請求項１】
レジ袋の左右端部にある持ち手を通して前記レジ袋の開口部を狭めるレジ袋用補助具
であって、
筒体本体の外壁は、前記筒体本体の一方側の開口部から前記筒体本体の他方側の開口
部に向かって末広がりに形成され、
前記レジ袋の左右端部にある持ち手は、前記筒体本体の他方側の開口部から通し、前
記筒体本体の一方側の開口部から外方に向かっているものであり、
前記一方側の開口部は、スリットではなく、略円であり、前記一方側の開口部の縁部には、前記レジ袋をグリップするための丸い歯を持つ部位を有さないものであり、
前記一方側の開口部の内壁に波形の凹凸もなく，
前記他方側の開口部から外側に向かって張り出す張り出し部もなく、
前記筒体本体の外壁には、接離自在な前記筒体本体の外壁から前記筒体本体の内壁を
貫くスリット、前記レジ袋に係止する爪及びスロット（溝）が設けられていない
ことを特徴とするレジ袋用補助具。
【請求項２】
レジ袋用補助具の筒体本体の外壁は、前記筒体本体の一方側の開口部から前記筒体本
体の他方側の開口部に向かって末広がりに形成され、
前記一方側の開口部は、スリットではなく、略円であり、前記一方側の開口部の縁部には、前記レジ袋をグリップするための丸い歯を持つ部位を有さないものであり、
前記レジ袋の左右端部にある持ち手を前記筒体本体の他方側の開口部から通して、前
記レジ袋の開口部を狭めて前記レジ袋の内容物を前記レジ袋の内壁に密着させて、前記レ
ジ袋内の内容物の移動を阻止するものであり、
前記一方側の開口部の内壁に波形の凹凸もなく，
前記他方側の開口部から外側に向かって張り出す張り出し部もなく、
前記筒体本体の外壁には、接離自在な前記筒体本体の外壁から前記筒体本体の内壁を
貫くスリット、前記レジ袋に係止する爪及びスロット（溝）が設けられていない
ことを特徴とするレジ袋用補助具。
【請求項３】
筒体本体が紙で形成されている
ことを特徴とする請求項１又は請求項２記載のレジ袋用補助具。
【発明の詳細な説明】
【技術分野】
【０００１】
本発明は、レジ袋用補助具に係り、特に、内容物の片寄りを簡易に行うことができるレジ袋用補助具に関する。
【背景技術】
【０００２】
従来、コンビニで弁当を買うと、レジ袋内に、例えば、パスター等の弁当を入れて、
持ち帰ることとなる。
【発明の概要】
【発明が解決しようとする課題】
【０００３】
ところが、弁当が内在したレジ袋を注意しながら、持ち歩いても、移動中に弁当がレ
ジ袋に密着しないため、弁当内の具材が片寄ってしまうという不具合が生じた。
【０００４】
本発明は、前記不具合を考慮したなされたレジ袋用補助具を提供することを目的とする。
【課題を解決するための手段】
【０００５】
請求項１記載のレジ袋用補助具は、レジ袋の左右端部にある持ち手を通して前記レジ袋の開口部を狭めるレジ袋用補助具であって、筒体本体の外壁は、前記筒体本体の一方側の開口部から前記筒体本体の他方側の開口部に向かって末広がりに形成され、前記レジ袋の左右端部にある持ち手は、前記筒体本体の他方側の開口部から通し、前記筒体本体の一方側の開口部から外方に向かっているものであり、前記一方側の開口部は、スリットではなく、略円であり、前記一方側の開口部の縁部には、前記レジ袋をグリップするための丸い歯を持つ部位を有さないものであり、前記一方側の開口部の内壁に波形の凹凸もなく，
前記他方側の開口部から外側に向かって張り出す張り出し部もなく、前記筒体本体の外壁には、接離自在な前記筒体本体の外壁から前記筒体本体の内壁を貫くスリット、前記レジ袋に係止する爪及びスロット（溝）が設けられていないものである。
【０００６】
また、請求項２記載のレジ袋用補助具は、レジ袋用補助具の筒体本体の外壁は、前記筒体本体の一方側の開口部から前記筒体本体の他方側の開口部に向かって末広がりに形成され、前記一方側の開口部は、スリットではなく、略円であり、前記一方側の開口部の縁部には、前記レジ袋をグリップするための丸い歯を持つ部位を有さないものであり、前記レジ袋の左右端部にある持ち手を前記筒体本体の他方側の開口部から通して、前記レジ袋の開口部を狭めて前記レジ袋の内容物を前記レジ袋の内壁に密着させて、前記レジ袋内の内容物の移動を阻止するものであり、前記一方側の開口部の内壁に波形の凹凸もなく，
前記他方側の開口部から外側に向かって張り出す張り出し部もなく、前記筒体本体の外壁には、接離自在な前記筒体本体の外壁から前記筒体本体の内壁を貫くスリット、前記レジ袋に係止する爪及びスロット（溝）が設けられていないものである。
【０００７】
また、請求項３記載のレジ袋用補助具は、請求項１又は請求項２記載のレジ袋用補助具において、筒体本体が紙で形成されているものである。
【発明の効果】
【０００８】
従来、レジ袋の内容物が、例えば、弁当の場合、移動中、弁当が傾いて、弁当のおか
ずが寄ってしまうという不具合を有するが、請求項１記載のレジ袋用補助具によれば、レ
ジ袋用補助具の筒体本体の外壁は、前記筒体本体の一方側の開口部から前記筒体本体の他
方側の開口部に向かって末広がりに形成され、前記レジ袋の左右端部にある持ち手を前記
筒体本体の他方側の開口部から通して、前記レジ袋の開口部を狭めて前記レジ袋の内容物
を前記レジ袋の内壁に密着させて、前記レジ袋内の内容物の移動を阻止することにより、
上記不具合を改善することができ、しかも、レジ袋用補助具は、レジ袋の左右端部に持ち
手があるものであれば、簡易且つ迅速に適用するできるものである。
即ち、従来、レジ袋の内容物が、例えば、弁当の場合、移動中、弁当が傾いて、弁当のおかずが寄ってしまうという不具合を有するが、
請求項１記載のレジ袋用補助具によれば、
・  レジ袋用補助具の筒体本体の外壁は、前記筒体本体の一方側の開口部から前記筒
体本体の他方側の開口部に向かって末広がりに形成され、
・  前記レジ袋の左右端部にある持ち手は、前記筒体本体の他方側の開口部から通し
、前記前記筒体本体の一方側の開口部から外方に向かっているものであり、
[ 前記レジ袋の左右端部にある持ち手を前記筒体本体の他方側の開口部から通して、
前記レジ袋の開口部を狭めて前記レジ袋の内容物を前記レジ袋の内壁に密着させて
、前記レジ袋内の内容物の移動を阻止するものであり、
・  前記一方側の開口部の内壁に波形の凹凸もなく、
・  前記他方側の開口部から外側に向かって張り出す張り出し部もなく、
・  前記筒体本体の外壁には、接離自在なスリット、前記レジ袋に係止する爪及びスロ
ット（溝）が設けられていないことにより、
つまり、
・  前記レジ袋の左右端部にある持ち手を前記筒体本体の他方側の開口部から通し、前
記筒体本体の一方側の開口部から外方に向かわせ、前記レジ袋の開口部を狭めて前記
レジ袋の内容物を前記レジ袋の内壁に密着させて、前記レジ袋内の内容物の移動を阻
止することにより、簡易な構成でありながら、上記不具合を改善することができ、
しかも、レジ袋用補助具は、レジ袋の左右端部に持ち手があるものであれば、結束
しない分、レジ袋への脱着を容易に行うことができる。
【０００９】
従来、レジ袋の内容物が、例えば、弁当の場合、移動中、弁当が傾いて、弁当のおかずが寄ってしまうという不具合を有するが、請求項２記載のレジ袋用補助具によれば、レジ袋用補助具の筒体本体の外壁は、前記筒体本体の一方側の開口部から前記筒体本体の他方側の開口部に向かって末広がりに形成され、前記レジ袋の左右端部にある持ち手を前記筒体本体の他方側の開口部から通して、前記レジ袋の開口部を狭めて前記レジ袋の内容物を前記レジ袋の内壁に密着させて、前記レジ袋内の内容物の移動を阻止することにより、上記不具合を改善することができ、しかも、レジ袋用補助具は、レジ袋の左右端部に持ち手があるものであれば、簡易且つ迅速に適用するできるものである。
即ち、従来、レジ袋の内容物が、例えば、弁当の場合、移動中、弁当が傾いて、弁当のおかずが寄ってしまうという不具合を有するが、
請求項２記載のレジ袋用補助具によれば、
・  レジ袋用補助具の筒体本体の外壁は、前記筒体本体の一方側の開口部から    前記筒体本体の他方側の開口部に向かって末広がりに形成され、
・  前記レジ袋の左右端部にある持ち手を前記筒体本体の他方側の開口部から    通して、前記レジ袋の開口部を狭めて前記レジ袋の内容物を前記レジ袋の内    壁に密着させて前記レジ袋内の内容物の移動を阻止するものであり、
・  前記一方側の開口部の内壁に波形の凹凸もなく、
・  前記他方側の開口部から外側に向かって張り出す張り出し部もなく、
・  前記筒体本体の外壁には、接離自在なスリット、前記レジ袋に係止する爪    及びスロット(溝)が設けられていないことにより、
つまり、
・  前記レジ袋の左右端部にある持ち手を前記筒体本体の他方側の開口部から    通し、前記筒体本体の一方側の開口部から外方に向かわせ、前記レジ袋の開    口部を狭めて前記レジ袋の内容物を前記レジ袋の内壁に密着させて、前記レ    ジ袋内の内容物の移動を阻止することにより、簡易な構成でありながら、上    記不具合を改善することができ、
しかも、レジ袋用補助具は、レジ袋の左右端部に持ち手があるものであれ    ば、結束しない分、レジ袋への脱着を容易に行うことができる。
【００１０】
また、請求項３記載のレジ袋用補助具によれば、上述した請求項１又は請求項２記載の発明の効果に加え、筒体本体が紙で形成されているため、簡易に製作でき、しかも、廃棄処理も簡易且つ迅速に行うことができる。
【図面の簡単な説明】
【００１１】
【図１】図１は、本発明の一実施例のレジ袋用補助具を正面的に見て撮影した写真である。
【図２】図２は、図１のレジ袋用補助具を平面的に見て撮影した写真である。
【図３】図３は、図１のレジ袋用補助具を斜め上方から見て撮影した写真である。
【図４】図４は、図１のレジ袋用補助具を斜め下方から見て撮影した写真である。
【図５】図５は、図１のレジ袋用補助具をレジ袋に装着する前の弁当（例えば、コンビニパスタ）を内在したレジ袋を撮影した写真である。
【図６】図６は、図５のレジ袋にレジ袋用補助具を装着した状態を撮影した写真である。
【発明を実施するための形態】
【００１２】
本発明の一実施例のレジ袋用補助具を図面（図１乃至図６）を参照して説明する。
【００１３】
図１に示すＨはレジ袋用補助具で、レジ袋用補助具Ｈは、レジ袋１０の左右端部にあ
る持ち手１１、１２（図５及び図６）を通してレジ袋１０の開口部１０Ａを狭めるもので
ある。
筒体本体１の外壁は、筒体本体１の一方側の開口部１Ａから筒体本体１の他方側の開
口部１Ｂに向かって末広がりに形成されている。
このレジ袋用補助具Ｈを使用するときには、レジ袋１０の左右端部にある持ち手１１
、１２を筒体本体１の他方側の開口部１Ｂから通し、筒体本体１の一方側の開口部１Ａか
ら外方に向かうようにする。
即ち、レジ袋１０の開口部１０Ａを狭めてレジ袋１０の内容物２０をレジ袋１０の内
壁に密着させて、レジ袋１０内の内容物２０の移動を阻止することができる。
しかも、レジ袋用補助具Ｈは、レジ袋１０の左右端部に持ち手１１、１２があるもの
であれば、簡易且つ迅速に適用することができる。
【００１４】
従来、レジ袋の内容物が、例えば、弁当の場合、移動中、弁当が傾いて、弁当のおか
ずが寄ってしまい、また、弁当に液体があれば、該液体が弁当の容器の外へ流れ出てしま
うという不具合を有するが、
上述したレジ袋用補助具Ｈ（レジ袋の内容物固定方法）によれば、レジ袋用補助具Ｈ
の筒体本体１の外壁は、筒体本体１の一方側の開口部１Ａから筒体本体１の他方側の開口
部１Ｂに向かって末広がりに形成され、レジ袋１０の左右端部にある持ち手１１、１２を
筒体本体１の他方側の開口部１Ｂから通して、レジ袋１０の開口部１０Ａを狭めてレジ袋
１０の内容物２０をレジ袋１０の内壁に密着させて、レジ袋１０内の内容物２０の移動を
阻止することにより、上記不具合を改善することができ、しかも、レジ袋用補助具Ｈは、
レジ袋１０の左右端部に持ち手１１、１２があるものであれば、簡易且つ迅速に適用する
できるものである。
【００１５】
筒体本体１の外壁に広告表示（図示せず）がなされていると、レジ袋用補助具Ｈの付
加価値をも高めることができる。
【００１６】
レジ袋用補助具Ｈは、合成樹脂で形成しても良いが、ゴミ処理の観点から、紙で形成
するのが良い。
このレジ袋用補助具Ｈは、筒体本体１の一方側の開口部１Ａから筒体本体１の他方側
の開口部１Ｂに向かって末広がりに形成されているため、複数のレジ袋用補助具Ｈを積層
してコンパクトにすることができる。
なお、本願発明の一実施例のレジ袋用補助具及びレジ袋の内容物の固定方法にあっては、一方側の開口部１Ａの内壁に波形の凹凸もなく，他方側の開口部１Ｂから外側に向かって張り出す張り出し部もなく、筒体本体１の外壁には、接離自在な筒体本体１の外壁から筒体本体１の内壁を貫くスリット（溝）、レジ袋１０ に係止する爪及びスロット（溝）が設けられていないもので、本実施例のレジ袋用補助具、レジ袋の内容物固定方法は、米国特許第3775810号明細書、特開2017-186083号公報及び特開平6-99954号公報記載のものをレジ袋用補助具に適用した場合のものに比較し、内容物の片寄りを簡易に行うことができるものである。
また、筒体本体１の内壁には、接離自在な筒体本体１の内壁から筒体本体１の外壁を貫くスリット（溝）、レジ袋１０ に係止する爪及びスロット（溝）が設けられていない。
また、レジ袋用補助具Ｈを紙で形成した場合、本願発明の一実施例の図２の一方の端部ＡＢは外壁のライン、図４の他方の端部ＣＤは内壁のラインで、この内壁のラインＣＤを含む面の上に外壁のラインＡＢを重ねて、重ねた部分を接合して形成されるが、本願発明は、これに限らず、,合成樹脂で形成した場合、接着代は不要で、一体的に形成することができる。
【符号の説明】
【００１７】
Ｈ      レジ袋用補助具
１      筒体本体
１Ａ    一方側の開口部
１Ｂ    他方側の開口部
１０    レジ袋
１０Ａ  レジ袋の開口部
１１    持ち手
１２    持ち手
【図１】
0006886673.tif 000002
【図２】
0006886673.tif 000003
【図３】
0006886673.tif 000004
【図４】
0006886673.tif 000005
【図５】
0006886673.tif 000006
【図６】
0006886673.tif 000007